(57)【特許請求の範囲】
【請求項１】
デジタル放送信号のチャンネルスキャンを行いチャンネルリストに記憶するデジタル放送チャンネルスキャン方法であって、
前記デジタル放送のチャンネルスキャンを行うためにチャンネルの設定を行うチャンネル設定ステップと、
前記チャンネル設定を行った後に、そのチャンネルの受信状態を判定するステップと、
そして、
前記受信状態を判定するステップにおいて、ＴＳ信号にエラーが含まれていないと判定された場合、ＴＳ信号からチャンネル情報を取得しチャンネルリストに追加するステップとを有しており、更に、
前記受信状態を判定するステップは、
前記デジタル放送信号の検出に伴って発生する複数の復調情報を予め設定した順序に判定することによりチャンネルの受信状態を判定するものであり、
前記デジタル放送信号が検出できたか否かを確認するステップと、
ＴＭＣＣが復調できたかどうかを確認するステップと、
受信信号のＣ／Ｎが所定の閾値を超えたかどうかを確認するステップと、
ＴＳ信号にエラーが含まれているかどうかを確認するステップとを備えていることを特徴とするデジタル放送チャンネルスキャン方法。
【請求項２】
前記請求項１に記載したデジタル放送チャンネルスキャン方法において、前記受信状態を判定するステップは、デジタル放送の或るチャンネルについて、
前記デジタル放送信号が検出できたかどうかを確認するステップの結果、デジタル放送信号が検出できなかったと判定された場合、又は、
前記ＴＭＣＣが復調できたかどうかを確認するステップの結果、ＴＭＣＣが復調できなかったと判定された場合、又は、
前記受信信号のＣ／Ｎが所定の閾値を超えたかどうかを確認するステップの結果、Ｃ／Ｎが所定の閾値を超えなかったと判定された場合、又は、
前記ＴＳ信号にエラーが含まれているかどうかを確認するステップの結果、ＴＳ信号にエラーが含まれていたと判定された場合、
当該チャンネルのスキャンを終了し、次のチャンネルのスキャンに移行することを特徴とするデジタル放送チャンネルスキャン方法。
【請求項３】
デジタル放送信号のチャンネルスキャンを行いチャンネルリストに記憶するデジタル放送チャンネルスキャン方法であって、
前記デジタル放送のチャンネルスキャンを行うためにチャンネルの設定を行うチャンネル設定ステップと、
前記チャンネル設定を行った後に、そのチャンネルの受信状態を判定するステップと、
前記受信状態を判定するステップにおいて、ＴＳ信号にエラーが含まれていないと判定された場合、ＴＳ信号からチャンネル情報を取得しチャンネルリストに追加するステップとを有しており、更に、
前記受信状態を判定するステップは、
まず、前記デジタル放送信号が検出できたかどうかを確認する第１のステップを実行し、
前記第１のステップの結果、デジタル放送信号が検出できた場合は、次に、前記ＴＳ信号にエラーが含まれているかどうかを確認するステップと、前記ＴＭＣＣが復調できたかどうかを確認するステップとを交互に行う第２のステップを実行し、
前記第２のステップの結果、先に前記ＴＭＣＣが復調できたことを検出した場合は、続いて、前記ＴＳ信号にエラーが含まれているかどうかを確認するステップと、前記受信信号のＣ／Ｎが所定の閾値を超えたかどうかを確認するステップとを交互に行う第３のステップを実行し、かつ、
前記第３のステップの結果、先に前記受信信号のＣ／Ｎが所定の閾値を超えたことが判定された場合は、その後、前記ＴＳ信号にエラーが含まれているかどうかを確認するステップを実行することを特徴とするデジタル放送チャンネルスキャン方法。
【請求項４】
デジタル放送信号のチャンネルスキャンを行うデジタル放送受信機であって、
前記デジタル放送信号を受信するチューナ部と、
前記チューナ部からのデジタル放送信号を復調する復調部と、
前記復調部からの信号を復号する復号部と、
前記デジタル放送信号のチャンネル情報を記憶するチャンネル情報記憶手段と、
前記チューナ部、前記復調部、前記復号部、及び、前記チャンネル情報記憶手段を制御すると共に前記デジタル放送信号のチャンネルスキャンを制御するチャンネルスキャン制御部とを備えており、
前記チャンネルスキャン制御部は、
前記デジタル放送信号のチャンネルスキャンを行うためにチャンネルの設定を行い、前記チャンネル設定を行った後に、そのチャンネルの受信状態を判定するように構成され、前記受信状態の判定において、前記デジタル放送信号が検出できたか否かの確認と、ＴＭＣＣが復調できたかどうかの確認と、受信信号のＣ／Ｎが所定の閾値を超えたかどうかの確認と、ＴＳ信号にエラーが含まれているかどうかの確認とを行うことを特徴とするデジタル放送受信機。
【請求項５】
前記請求項４に記載したデジタル放送受信機において、
前記チャンネルスキャン制御部は、前記受信状態の判定において、デジタル放送の或るチャンネルについて、
前記デジタル放送信号が検出できたかどうかの確認を行った結果、デジタル放送信号が検出できなかったと判定した場合、又は、
前記ＴＭＣＣが復調できたかどうかの確認を行った結果、ＴＭＣＣが復調できなかったと判定した場合、又は、
前記受信信号のＣ／Ｎが所定の閾値を超えたかどうかの確認を行った結果、Ｃ／Ｎが所定の閾値を超えなかったと判定した場合、又は、
前記ＴＳ信号にエラーが含まれているかどうかの確認を行った結果、ＴＳ信号にエラーが含まれていたと判定した場合、
当該チャンネルのスキャンを終了し、次のチャンネルのスキャンに移行することを特徴とするデジタル放送受信機。
【請求項６】
デジタル放送信号のチャンネルスキャンを行うデジタル放送受信機であって、
前記デジタル放送信号を受信するチューナ部と、
前記チューナ部からのデジタル放送信号を復調する復調部と、
前記復調部からの信号を復号する復号部と、
前記デジタル放送信号のチャンネル情報を記憶するチャンネル情報記憶手段と、
前記チューナ部、前記復調部、前記復号部、及び、前記チャンネル情報記憶手段を制御すると共に前記デジタル放送信号のチャンネルスキャンを制御するチャンネルスキャン制御部とを備えており、
前記チャンネルスキャン制御部は、
前記デジタル放送信号のチャンネルスキャンを行うためにチャンネルの設定を行い、前記チャンネル設定を行った後に、そのチャンネルの受信状態を判定し、前記受信状態の判定において、ＴＳ信号にエラーが含まれていないと判定した場合、ＴＳ信号からチャンネル情報を取得しチャンネルリストに追加するように構成され、
前記受信状態の判定において、
まず、前記デジタル放送信号が検出できたかどうかを確認する第１のステップを実行し、
前記第１のステップの結果、デジタル放送信号が検出できた場合は、次に、前記ＴＳ信号にエラーが含まれているかどうかの確認と、前記ＴＭＣＣが復調できたかどうかの確認とを交互に行う第２のステップを実行し、
前記第２のステップの結果、先に前記ＴＭＣＣが復調できたことを検出した場合は、続いて、前記ＴＳ信号にエラーが含まれているかどうかの確認と、前記受信信号のＣ／Ｎが所定の閾値を超えたかどうかの確認とを交互に行う第３のステップを実行し、かつ、
前記第３のステップの結果、先に前記受信信号のＣ／Ｎが所定の閾値を超えたことが判定された場合は、その後、前記ＴＳ信号にエラーが含まれているかどうかを確認することを特徴とするデジタル放送受信機。
【発明の詳細な説明】
【技術分野】
【０００１】
本発明は、デジタル放送受信装置におけるチャンネルスキャン方法に関し、特に、ＴＭＣＣ（Transmission and Multiplexing Configuration Control）が伝送される日本のＩＳＤＢ−Ｔ（Integrated Services Digital Broadcasting-Terrestrial）方式を受信するに適したチャンネルスキャン方法とそれを利用したデジタル放送受信機におけるに関する。
【背景技術】
【０００２】
地上デジタル放送では、各放送局は自局の情報しか送出しないため、或る放送局のネットワーク情報テーブル（Network Information Table：ＮＩＴ）を受信しても、他の放送局の送信チャンネルは把握することができない。そのため、地上デジタル放送の受信機、地上デジタル放送の全チャンネルをスキャンし、当該チャンネルスキャンによって検出された受信可能な放送局の一覧（以下、チャンネルリストと呼ぶ）を記憶させる必要がある（非特許文献１、２参照）。特に、自動車などの移動体に搭載されたデジタル放送受信機においては、受信エリアの異なる地域に移動した場合、新たにチャンネルスキャンを実行し、チャンネルリストを取得しなければならない。
【０００３】
なお、上述したチャンネルスキャンでは、例えば、チューナ部に所望のチャンネルを設定してから復調部がトランスポートストリーム（Transport Stream：ＴＳ）信号を出力するまでに約１秒（Ａ）、また、ＴＳ信号に含まれているＮＩＴが取得されるまでに約２秒（Ｂ）の時間を要するものとし、一方、地上デジタル放送で用いられている放送チャンネルが５０チャンネル存在し、そのうち１０チャンネルが受信可能（ＮＩＴが取得可能）であるとすると、チャンネルスキャンには、約６０秒（４０チャンネル×Ａ＋１０チャンネル×Ｂ）もの時間を要する。このように、従来のチャンネルスキャン方法では、チャンネルスキャンに時間が掛かり過ぎてしまうという問題があった。
【０００４】
そこで、従来、かかるチャンネルスキャンを高速に実行するための技術として、例えば、以下の特許文献１に記載の携帯端末装置及びそれに用いるテレビチャネル切替方法並びにそのプログラムでは、ＧＰＳによって現在位置の情報を取得し、予め記憶してある地域毎のチャンネルリストから、上記ＧＰＳによって取得した位置情報に対応するチャンネルリストを選択して使用するものが既に知られている。
【０００５】
【特許文献１】特開２００３−３０９７７４号公報
【非特許文献１】ＡＲＩＢ  ＳＴＤ−Ｂ３１「地上デジタルテレビジョン放送の伝送方式」
【非特許文献２】ＡＲＩＢ  ＴＲ−Ｂ１４「地上デジタルテレビジョン放送運用規定」
【発明の開示】
【発明が解決しようとする課題】
【０００６】
しかしながら、上記特許文献１に記載の携帯端末装置では、予め全地域のチャンネルリストを携帯端末装置に記憶しておく必要があるため、多くの（大容量の）メモリを必要とする。また、ＧＰＳを搭載していることが必要でることから、装置全体としてのコスト及び規模が増大してしまう。
【０００７】
そこで、本発明では、上述した従来技術における問題点に鑑み、従来技術のように大容量のメモリを用いることなく、ＧＰＳなどによる位置情報を用いることなく、かつ、従来のチャンネルスキャン方式に比べて、短時間で実行できるデジタル放送チャンネルスキャン方法及びそれを用いたデジタル放送受信機を提供することをその目的とする。
【課題を解決するための手段】
【０００８】
本発明によれば、上記の目的を達成するため、先ず、デジタル放送信号のチャンネルスキャンを行いチャンネルリストに記憶するデジタル放送チャンネルスキャン方法であって、前記デジタル放送のチャンネルスキャンを行うためにチャンネルの設定を行うチャンネル設定ステップと、前記チャンネル設定を行った後に、そのチャンネルの受信状態を判定するステップと、そして、前記受信状態を判定するステップにおいて、ＴＳ信号にエラーが含まれていないと判定された場合、ＴＳ信号からチャンネル情報を取得しチャンネルリストに追加するステップとを有しており、更に、前記受信状態を判定するステップは、前記デジタル放送信号の検出に伴って発生する複数の復調情報を予め設定した順序に判定することによりチャンネルの受信状態を判定するデジタル放送チャンネルスキャン方法が提供される。
【０００９】
なお。本発明では、前記に記載したデジタル放送チャンネルスキャン方法において、前記受信状態を判定するステップは、前記デジタル放送信号が検出できたか否かを確認するステップと、ＴＭＣＣが復調できたかどうかを確認するステップと、受信信号のＣ／Ｎが所定の閾値を超えたかどうかを確認するステップと、そして、ＴＳ信号にエラーが含まれているかどうかを確認するステップとを備えていることが好ましく、更には、前記受信状態を判定するステップは、デジタル放送の或るチャンネルについて、前記デジタル放送信号が検出できたかどうかを確認するステップの結果、デジタル放送信号が検出できなかったと判定された場合、又は、前記ＴＭＣＣが復調できたかどうかを確認するステップの結果、ＴＭＣＣが復調できなかったと判定された場合、又は、前記受信信号のＣ／Ｎが所定の閾値を超えたかどうかを確認するステップの結果、Ｃ／Ｎが所定の閾値を超えなかったと判定された場合、又は、前記ＴＳ信号にエラーが含まれているかどうかを確認するステップの結果、ＴＳ信号にエラーが含まれていたと判定された場合、当該チャンネルのスキャンを終了し、次のチャンネルのスキャンに移行することが好ましい。
【００１０】
更に、本発明では、前記に記載したデジタル放送チャンネルスキャン方法において、前記受信状態を判定するステップは、まず、前記デジタル放送信号が検出できたかどうかを確認するステップを実行し、前記ステップの結果、デジタル放送信号が検出できた場合は、次に、前記ＴＳ信号にエラーが含まれているかどうかを確認するステップと、前記ＴＭＣＣが復調できたかどうかを確認するステップとを交互に実行し、前記ステップの結果、先に前記ＴＭＣＣが復調できたことを検出した場合は、続いて、前記ＴＳ信号にエラーが含まれているかどうかを確認するステップと、前記受信信号のＣ／Ｎが所定の閾値を超えたかどうかを確認するステップとを交互に実行し、かつ、前記ステップの結果先に前記受信信号のＣ／Ｎが所定の閾値を超えたことが判定された場合は、その後、前記ＴＳ信号にエラーが含まれているかどうかを確認するステップを実行することが好ましい。
【００１１】
本発明によれば、やはり上記の目的を達成するため、デジタル放送信号のチャンネルスキャンを行いチャンネルリストに記憶するデジタル放送チャンネルスキャンするデジタル放送受信機であって、前記デジタル放送を受信するチューナ部と、前記チューナ部からのデジタル放送信号を復調する復調部と、前記復調部からの信号を復号する復号部と、前記チューナ部、前記復調部、前記復号部、及び、前記チャンネル情報記憶手段を制御すると共に前記デジタル放送のチャンネルスキャンを制御するチャンネルスキャン制御部とを備えており、前記チャンネルスキャン制御部は、前記デジタル放送のチャンネルスキャンを行うためにチャンネルの設定を行い、前記チャンネル設定を行った後に、そのチャンネルの受信状態を判定し、その際、前記デジタル放送信号の検出に伴って発生する複数の復調情報を予め設定した順序に判定することによってチャンネルの受信状態を判定するように構成されているデジタル放送受信機が提供される。
【００１２】
そして、本発明では、前記に記載したデジタル放送受信機において、更に、デジタル放送信号のチャンネル情報を記憶するチャンネル情報記憶手段を備えており、かつ、前記チャンネルスキャン制御部は、前記受信状態を判定により、ＴＳ信号にエラーが含まれていないと判定された場合、当該ＴＳ信号からチャンネル情報を取得しチャンネルリストに追加することが好ましく、又は、更に、前記チャンネルスキャン制御部に、チャンネルの受信状態判定を行うための時間情報を提供するためのタイマー部を備えていることが好ましい。
【発明の効果】
【００１３】
上記のように構成された本発明のデジタル放送チャンネルスキャン方法によれば、復調部から取得される複数の復調情報を用いることで、受信不可のチャンネルを素早く判定することができるため、チャンネルスキャンを短時間で実行することが可能である。また、従来のように、予め全地域のチャンネルリストを記憶しておく必要がないため、大容量のメモリを必要とせず、また、ＧＰＳも不要であることから、装置全体のコスト及び規模が増大することもない。
【００１４】
更に、デジタル放送信号が弱階層と強階層で階層伝送されている場合は、高品質な弱階層が受信できないチャンネルについては、チャンネルリストに登録させないようにチャンネルスキャンを実行することが可能である。
【発明を実施するための最良の形態】
【００１５】
以下、本発明になる実施の形態について、図面を用いて詳細に説明する。
【００１６】
まず、図１は、本発明の一実施の形態になる、自動車などの移動体に搭載されたデジタル放送受信装置の全体構成を示すブロック図であり、図中の符号１はアンテナ部を、２はチューナ部を、３は復調部を、４は復号部を、５はタイマー部を、６はチャンネル情報記憶部を、そして、７は、例えば、ＣＰＵ等により構成されるチャンネルスキャン制御部を、それぞれ、示している。
【００１７】
そして、上記図１の構成において、アンテナ部１はデジタル放送信号を受信し、受信したデジタル放送信号をチューナ部２に供給する。チューナ部２は、チャンネルスキャン制御部７からの指示に基づき、供給されたデジタル放送信号から所望のチャンネルのデジタル放送信号を抽出し、以下の復調部３に供給する。
【００１８】
復調部３は、供給された所望のチャンネルのデジタル放送信号を復調し、又は、伝送時に発生した誤りを訂正し、もって、ＴＳ信号を復号部４に供給する。また、復調部３は、（１）デジタル放送信号が検出できたか否かを判定し（復調情報Ｉ）、チャンネルスキャン制御部７に通知し（２）ＴＭＣＣが復調できたかどうかを判定し（復調情報ＩＩ）、チャンネルスキャン制御部７に通知し、更に（３）受信信号のＣ／Ｎ（Carrier to Noise Ratio）を算出し（復調情報ＩＩＩ）、チャンネルスキャン制御部７に通知する。加えて、復調部３は、（４）ＴＳ信号にエラーが含まれているかどうかを判定し（復調情報ＩＶ）、チャンネルスキャン制御部７に通知する。これら、復調部３からチャンネルスキャン制御部７に供給される４つの情報を、以下、復調情報Ｉ〜ＩＶと呼ぶ。
【００１９】
復号部４は、供給されたＴＳ信号をデコードし、映像信号や音声信号などを出力する。また、復号部４は、ＴＳ信号に含まれているＮＩＴを抽出し、チャンネルスキャン制御部７に供給する。また、図中の符号８は、例えば、液晶パネルやスピーカ等を含んで構成され、映像信号や音声信号を表示／出力する表示部を示している。
【００２０】
タイマー部５は、時間情報を管理し、チャンネルスキャン制御部７の指示に基づき、タイマーの開始／終了／リセットを行う。また、チャンネル情報記憶部６は、上記復号部４から取得されたＮＩＴに記述されているチャンネル情報を記憶する。
【００２１】
続いて、添付の図２に示したフローチャートを用いて、上述したチャンネルスキャン制御部７が実行するチャンネルスキャンの処理手順の概略について、以下に説明する。
【００２２】
まず、このチャンネルスキャンの処理は、特に、自動車などの移動体に搭載されたデジタル放送受信機においては、受信エリアの異なる地域に移動した場合など、新たにチャンネルスキャンを実行してチャンネルリストを取得する必要がある場合に実行されることとなる。そして、この処理において、ステップＳ１０１では、図１のチューナ部２へ最初にスキャンするチャンネルを設定し、ステップＳ１０２に遷移する。このステップＳ１０２では、図１のタイマー部５へタイマーの開始を指示し、もって、タイマー部５はタイマー動作を開始する。
【００２３】
次に、ステップＳ１０３では、図１の復調部３から復調情報を取得し、このチャンネルの受信状態を判定する。このステップＳ１０３において、ＴＳ信号にエラーが含まれていないと判定された（即ち、分岐Ｓ１０４において「ＴＳエラー無し」）場合はステップＳ１０５に遷移する。他方、受信不可（分岐Ｓ１０４において「受信不可」）と判定された場合は、以下にも述べるステップ１０８以降の手順により、上記チャンネルスキャン処理を終了する。
【００２４】
そして、上記Ｓ１０４において「ＴＳエラー無し」と判定された場合には、更に、ステップＳ１０５に遷移し、このステップＳ１０５では、図１の復号部４からＴＳ信号に含まれているＮＩＴを取得する。そして、このステップＳ１０５において、ＮＩＴが取得できた場合は、このチャンネルは受信可能であるとしてステップＳ１０７に遷移する（Ｓ１０６）。他方、所定のタイムアウト時間が経過してもＮＩＴが取得できなかった場合はステップＳ１０８に遷移し、上述したように、このチャンネルのスキャン処理は終了となる。なお、所定のタイムアウト時間が経過してもＮＩＴが取得できない現象は、自動車などで移動中にチャンネルスキャンを実行する場合に、ＮＩＴ取得中に受信レベルの急激な劣化が発生したことに起因すると考えられる。また、ＮＩＴ取得におけるタイムアウト時間は、例えば、少なくともＮＩＴの最大再送周期よりも長い時間を設定しておく。
【００２５】
その後、ステップＳ１０７では、取得したＮＩＴに記述されているチャンネル情報を、図１のチャンネル情報記憶部６に記憶する。チャンネルスキャンの終了後に、チャンネル情報記憶部６に記憶されているチャンネル情報に基づき、チャンネルリストが作成される。
【００２６】
次に、Ｓステップ１０８では、図１のタイマー部５のタイマーを終了し、リセットする。そしてＳ１０９で、全てのチャンネルをスキャンしたかどうかを判定し、最後のチャンネルであると判定された場合には、当該チャンネルスキャン処理は終了となる。また、最後のチャンネルでない場合には、ステップＳ１１０において、図１のチューナ部２へ、次にスキャンするチャンネルを設定し、その後、上記Ｓ１０２に遷移する（戻る）。
【００２７】
次に、上記図２に示したチャンネルスキャン処理において、符号Ｓ１０３で示した受信状態判定処理の詳細について、更に、添付の図３のフローチャートを用いて詳細に説明する。
【００２８】
まず、ステップＳ２０１では、図１の復調部３からデジタル放送信号が検出できたか否かを示す情報（復調情報Ａ）を取得する。ここで、デジタル放送信号が検出できた否かの判定は、例えば、フレーム同期が検出できたか否か、或いは、スキャッタードパイロット（Scattered Pilot）信号が検出できたか否かを確認すれば良い。そして、このステップＳ２０２において、デジタル放送信号が検出できた場合（「ＹＥＳ」）は、ステップＳ２０４に遷移し、他方、デジタル放送信号が検出できなかった（Ｓ２０２で「ＮＯ」の）場合は、ステップＳ２０３に遷移する。このステップＳ２０３では、図１のタイマー部５から現時点のタイマー時間を読出し、当該読出したタイマー時間が所定のタイムアウト時間１を超えていた場合は、当該チャンネルは「受信不可」と判定し、受信状態判定処理Ｓ１０３を終了する。また、タイマー時間が所定のタイムアウト時間１を超えていなかった場合には、上記Ｓ２０１に遷移する（戻る）。
【００２９】
次に、ステップＳ２０４では、まず、図１の復調部３からＴＳ信号にエラーが含まれているか否かを示す情報（復調情報ＩＶ）を取得して、ＴＳ信号の有無を確認する。そして、続くステップＳ２０５では、ＴＳ信号にエラーが含まれていなかったと判定された場合には、「ＴＳエラー無し」（ＹＥＳ）と判定し、受信状態判定処理Ｓ１０３を終了する。他方、ＴＳ信号にエラーが含まれていた（ＮＯ）と判定した場合には、ステップＳ２０６に遷移する。
【００３０】
そのステップＳ２０６では、図１の復調部３からＴＭＣＣが復調できたかどうかを示す情報（復調情報ＩＩ）を取得して、ＴＭＣＣ復調が完了したか否かを判定する。そして、続くステップＳ２０７において、ＴＭＣＣが復調できた（完了した）と判定（ＹＥＳ）される場合は、ステップＳ２０９に遷移し、他方、ＴＭＣＣが復調できていなかった（完了していない）と判定（ＮＯ）される場合には、ステップＳ２０８に遷移する。
【００３１】
そして、このステップＳ２０８では、上記のステップ２０３と同様に、図１のタイマー部５から現時点のタイマー時間を読出し、当該読出したタイマー時間が所定のタイムアウト時間２（タイムアウト時間１よりも大きい値に設定）を超えていた（ＹＥＳ）場合は、当該チャンネルは「受信不可」と判定し、受信状態判定処理Ｓ１０３を終了する。また、読み出したタイマー時間が所定のタイムアウト時間２を超えていなかった（ＮＯ）場合は、上記ステップＳ２０４に遷移する（戻る）。
【００３２】
次に、ステップＳ２０９では、上記ステップＳ２０４と同様に、まず、図１の復調部３からＴＳ信号にエラーが含まれているかどうかを示す情報（復調情報ＩＶ）を取得し、ＴＳ信号の有無を確認する。そして、続くステップＳ２１０では、ＴＳ信号にエラーが含まれていなかった（ＹＥＳ）場合は、「ＴＳエラー無し」と判定して受信状態判定処理Ｓ１０３を終了し、他方、ＴＳ信号にエラーが含まれていた（ＹＥＳ）場合には、続くステップＳ２１１に遷移する。
【００３３】
このステップＳ２１１では、図１の復調部３から受信信号のＣ／Ｎ（復調情報ＩＩＩ）を取得する。そして、ステップＳ２１２において、受信信号のＣ／Ｎが所定の閾値以上（即ち、受信状態が安定で良好）であったと判定される（ＹＥＳ）場合には、ステップＳ２１４に遷移し、他方、受信信号のＣ／Ｎが所定の閾値以下であった場合（ＮＯ）には、ステップＳ２１３に遷移する。なお、このステップＳ２１３でも、上記ステップ２０３と同様に、図１のタイマー部５から現時点のタイマー時間を読出し、当該読出したタイマー時間が所定のタイムアウト時間３（タイムアウト時間２よりも大きい値に設定）を超えていた場合は、当該チャンネルは「受信不可」と判定し、受信状態判定処理Ｓ１０３を終了する。また、読出したタイマー時間が所定のタイムアウト時間３を超えていなかった場合は、上記のステップＳ２０９に遷移する（戻る）。なお、上記閾値は、例えば、ＴＳ信号にエラーが含まれない最小のＣ／Ｎや、ＴＳ信号にエラーが含まれる最大のＣ／Ｎに設定すれば良い。
【００３４】
更に、ステップＳ２１４では、やはり、上記Ｓ２０４と同様に、図１の復調部３からＴＳ信号にエラーが含まれているかどうかを示す情報（復調情報ＩＶ）を取得する。そして、続くステップＳ２１５において、ＴＳ信号にエラーが含まれていなかった（ＹＥＳ）場合には、「ＴＳエラー無し」と判定して受信状態判定処理Ｓ１０３を終了し、他方、ＴＳ信号にエラーが含まれていた（ＮＯ）場合は、ステップＳ２１６に遷移する。このステップＳ２１６では、図１のタイマー部５から現時点のタイマー時間を読出し、当該読出したタイマー時間が所定のタイムアウト時間４（タイムアウト時間３よりも大きい値に設定）を超えていた（ＹＥＳ）場合は、このチャンネルは「受信不可」と判定し、受信状態判定処理Ｓ１０３を終了する。また、読出したタイマー時間が所定のタイムアウト時間４を超えていなかった場合は、上記ステップＳ２１４に遷移する（戻る）。
【００３５】
以上の説明からも明らかなように、本発明の実施の形態になるチャンネルスキャン処理方法（図２のＳ１０３）、特に、デジタル放送信号の受信状態判定処理（図３）では、まず、デジタル放送信号が検出できたか否かを示す情報（復調情報Ｉ）の検出を確認し、その後、以下のように、ＴＳエラーの有無の検出（復調情報ＩＶ）を確認した後にＴＭＣＣ復調が完了したか否か（復調情報ＩＩ）判定し、そして、再び、ＴＳエラーの有無の検出（復調情報ＩＶ）を確認した後にＣ／Ｎが安定して取得可能か否か（復調情報ＩＩＩ）判定する手順を採用しており、以下には、当該手順を採用した受信状態判定処理の技術的な意味（理由）について、添付の図４を参照しながら説明する。
【００３６】
図４は、上述したように、復調部３からチャンネルスキャン制御部７に供給される４つの復調情報（復調情報Ｉ〜ＩＶ）の各々について、チューナ部２にチャンネルを設定してから各復調情報が取得されるまでの所要時間を示した図である。なお、各復調情報Ｉ〜ＩＶが取得されるまでの所要時間（図中に網掛けで示す時間帯）は、選局したデジタル放送信号の受信レベルやＯＦＤＭ（Orthogonal Frequency Division Multiplexing）伝送パラメータなどによって差異（所謂バラツキ）が生じるため、所要時間は一意に定まらない。そして、一般的には、図４に示されるように、復調部３では、まず、デジタル放送信号であること（復調情報Ｉ）を検出し、次に、ＴＭＣＣ復調が完了し（復調情報ＩＩ）、続いて、Ｃ／Ｎが安定して取得可能となる（復調情報ＩＩＩ）。
【００３７】
一方、ＴＳ信号の出力が確定するタイミング（復調情報ＩＶ）については、発明者等による種々の実験の結果、ＴＭＣＣ復調が完了（復調情報ＩＩ）する前にくる場合や、Ｃ／Ｎが安定して取得可能（復調情報ＩＩＩ）となった後にくる場合など、様々な場合が生じることを確認した。そこで、本発明では、上述した復調部３からチャンネルスキャン制御部７に供給される４つの復調情報（復調情報Ｉ〜ＩＶ）の各々のタイミングを考慮して達成されたものであり、上記図３のフローチャートに明らかない示されるように、始めにデジタル放送信号が検出できたかどうかを判定する処理（復調情報Ｉ）を実行している（Ｓ２０１〜Ｓ２０３）。次に、ＴＳ信号の出力が確定するタイミング（復調情報ＩＶ）がＴＭＣＣ復調が完了（復調情報ＩＩ）する前にくる場合を考え、ＴＭＣＣが復調できたかどうかを判定する処理（Ｓ２０６〜Ｓ２０８）と、Ｃ／Ｎが閾値以上であるかどうかを判定（復調情報ＩＩＩ）する処理（Ｓ２１１〜Ｓ２１３）を実行する際は、ＴＳ信号にエラーが含まれているかどうか（復調情報ＩＶ）を判定する処理（Ｓ２０４、Ｓ２０５、及びＳ２０９、Ｓ２１０）をも合わせて実行している。また、ＴＳ信号の出力が確定（復調情報ＩＶ）するタイミングが、Ｃ／Ｎが安定して取得可能と（復調情報ＩＩＩ）なった後にくる場合を考え、Ｃ／Ｎが閾値以上であるかどうかを判定する処理（Ｓ２１１〜Ｓ２１３）の実行後に、ＴＳ信号にエラーが含まれているかどうか（復調情報ＩＶ）を判定する処理（Ｓ２１４〜Ｓ２１６）を実行している。
【００３８】
続いて、本発明の実施の形態になるチャンネルスキャン処理方法により得られるスキャン時間を、従来のチャンネルスキャン方法によるスキャン時間との比較により、以下に説明する。なお、この例では、例えば、地上デジタル放送で用いられている放送チャンネルが５０チャンネルとし、現在位置の受信環境として、受信可能なチャンネルが５チャンネル、また、受信レベルが低くデジタル放送信号であることは検出できるが受信は不可のチャンネル（チャンネルＸ）が５チャンネル存在するものとする。
【００３９】
本発明の実施の形態におけるチャンネルスキャン方法では、チャンネルＸについては、Ｃ／Ｎが閾値以下と判定されタイムアウト時間３によって受信不可と判定されるものとする。また、チューナ部２にチャンネルを設定してから、デジタル放送信号が存在するかどうかを判定する処理のタイムアウト時間１を０．２秒（Ａ）、Ｃ／Ｎが閾値以上であるかどうかを判定する処理のタイムアウト時間３を０．５秒（Ｂ）、ＴＳ信号にエラーが含まれているかどうかを判定する処理のタイムアウト時間４を１．０秒（Ｃ）、ＮＩＴの取得が完了するまでに２．０秒（Ｄ）の時間を要するものとする。
【００４０】
上記の受信条件の場合、本発明の実施の形態におけるチャンネルスキャンは、以下の時間で実行可能である。
【００４１】
２０．５秒（５チャンネル×Ｄ＋５チャンネル×Ｂ＋４０チャンネル×Ａ）
一方、従来のチャンネルスキャンは、以下の時間を要する。
５５．０秒（５チャンネル×Ｄ＋４５チャンネル×Ｃ）
【００４２】
上述したように、本発明の実施の形態におけるチャンネルスキャン方法によれば、復調部から取得される複数の復調情報（Ｉ〜ＩＶ）を用いることにより、受信不可のチャンネル判定する際、チャンネルスキャンをより短時間で実行することができるという優れた効果を発揮する。特に、自動車などの移動体に搭載されたデジタル放送受信機において、上記のチャンネルスキャンを実行する場合には、受信電波が弱いチャンネルが多数存在することが想定されるが、本発明になるチャンネルスキャン方法によれば、これらのチャンネルについて素早く受信の可／不可を判定することができるため、従来のチャンネルスキャン方法に比べて、より短時間で実行することが可能となり、実用的に優れた効果を発揮する。
【００４３】
加えて、上述した移動体に搭載されたデジタル放送受信機に限定されることなく、例えば、地上デジタル放送が階層伝送を利用して、固定受信端末向け放送（弱階層）と携帯受信端末向け放送（強階層）が行われている場合には、弱階層は高品質な放送であるがノイズ耐性に比較的弱く、強階層は低品質な放送であるがノイズ耐性に比較的強いという特徴がある。かかる場合において、例えば、ユーザの操作により、高品質な弱階層が受信可能なチャンネルだけでチャンネルリストを作成する要求がなされた場合は、上記図３のＴＳ信号にエラーが含まれているかどうか（復調情報ＩＶ）を判定する処理（Ｓ２０４、Ｓ２０５、及びＳ２０９、Ｓ２１０、及びＳ２１４〜Ｓ２１６）を、弱階層のＴＳ信号にエラーが含まれているかどうかを判定する処理に置き換えれば良い。また、Ｃ／Ｎが閾値以上であるかどうか（復調情報ＩＩＩ）を判定する処理（Ｓ２１１〜Ｓ２１３）における判定閾値は、例えば、弱階層のＴＳ信号にエラーが含まれるか否かの付近（例えば、２０ｄＢ）に設定すれば良い。
【００４４】
一方、ユーザの操作により、低品質な強階層であっても受信可能なチャンネルのチャンネルリストを作成したい場合は、図３のＴＳ信号にエラーが含まれているかどうかを判定する処理（Ｓ２０４、Ｓ２０５、及びＳ２０９、Ｓ２１０、及びＳ２１４〜Ｓ２１６）を、強階層のＴＳ信号にエラーが含まれているかどうかを判定する処理に置き換えれば良い。また、Ｃ／Ｎが閾値以上であるかどうかを判定する処理（Ｓ２１１〜Ｓ２１３）における判定閾値は、例えば、強階層のＴＳ信号にエラーが含まれるか否かの付近（例えば、５ｄＢ）に設定すれば良い。
【００４５】
このように、デジタル放送信号が弱階層と強階層で階層伝送されている場合は、高品質な弱階層が受信できないようなチャンネルについては、チャンネルリストに登録させないといったチャンネルスキャンを実行することが可能である。
【００４６】
以上のように、ＴＭＣＣが検出できたか否かを判定する処理を取り除くことによれば、本発明に係るデジタル放送チャンネルスキャン方法は、上述の実施の形態、即ち、ＴＭＣＣが伝送される日本のＩＳＤＢ−Ｔ方式に加えて、ＴＭＣＣが伝送されないデジタル放送を受信するデジタル放送受信装置においても実行されるチャンネルスキャン方法として有用である。
【図面の簡単な説明】
【００４７】
【図１】本発明の一実施形態に係るデジタル放送受信装置の全体構成を示すブロック図である。
【図２】本発明の実施の形態に係るデジタル放送受信装置で実行されるチャンネルスキャン処理の手順を示すフローチャートである。
【図３】図２の受信状態判定処理Ｓ１０３の詳細な手順を示すフローチャートである。
【図４】上記デジタル放送受信装置におけるチャンネルスキャン方法の原理を説明するための図である。
【符号の説明】
【００４８】
１…アンテナ部
２…チューナ部
３…復調部
４…復号部
５…タイマー部
６…チャンネル情報記憶部
７…チャンネルスキャン制御部
８…表示部。
【図１】
0005049094.tif 000002
【図２】
0005049094.tif 000003
【図３】
0005049094.tif 000004
【図４】
0005049094.tif 000005